(57)【要約】【課題】省電力機能を有したリモコンの設定情報確認方法を簡単な操作で行うとともに、省電力効果を確保する給湯器用リモコンを提供する。【解決手段】操作部７〜１１と表示部４を有し、前記操作部７〜１１により一定時間操作がないとき、あるいは機器の動作に変化がないときに表示部４の表示を消す省電力機能を有した給湯器用リモコン２ａ、２ｂにおいて、前記省電力機能によりその表示が消えた状態になったとき、所定のスイッチ５を押すことでごく短時間だけ直前の設定情報を表示させる構成としてある。【選択図】  図２
2004360991.tif 000002
【特許請求の範囲】
【請求項１】
操作部と表示部を有し、前記操作部により一定時間操作がないとき、あるいは機器の動作に変化がないときに表示部の表示を消す省電力機能を有した給湯器用リモコンにおいて、前記省電力機能によりその表示が消えた状態になったとき、所定のスイッチを押すことでごく短時間だけ直前の設定情報を表示させることを特徴とする給湯器用リモコン。
【請求項２】
操作部と表示部を有し、前記操作部により一定時間操作がないとき、あるいは機器の動作に変化がないときに表示部の表示を消す省電力機能を有した給湯器用リモコンにおいて、前記省電力機能によりその表示が消えた状態になったとき、所定のスイッチを押している間のみ直前の設定情報を表示させることを特徴とする給湯器用リモコン。
【請求項３】
操作部と表示部を有し、前記操作部により一定時間操作がないとき、あるいは機器の動作に変化がないときに表示部の表示を消す省電力機能を有した給湯器用リモコンにおいて、前記省電力機能によりその表示が消えた状態になったとき、所定のスイッチを押すことで搭載されたスピーカー部から音声により直前の設定情報を報知することを特徴とする給湯器用リモコン。
【発明の詳細な説明】
【０００１】
【発明の属する技術分野】
本発明は給湯器用リモコンに関し、特に、省電力モード機能を有する報知部の報知制御に関するものである。
【０００２】
【従来の技術】
従来の給湯器用リモコンは、給湯器の遠隔操作用の各種操作スイッチと、給湯器の動作状況やリモコン装置の操作状況等を表示する表示部とを備えており、リモコン装置の運転中は常に上記表示部に各種情報の表示が行なわれている。また、一定時間操作がないとき、あるいは機器の動作に変化がないときに表示部の表示を消す機能を有すものがある（例えば、特許文献１参照）。
【０００３】
【特許文献１】
特開２０００−２９５６８０号公報
【０００４】
【発明が解決しようとする課題】
しかしながら上記従来の構成では、省電力機能により表示部が消えた状態においては設定状態等の情報が確認できないため、設定情報を知りたいときはリモコンの運転スイッチを押して表示をさせなければならなかった。そうすれば、電力ロスを抑えるためには再度運転スイッチを押して運転切りにするか、一定時間（数分から十数分）無操作にしておく必要があり、使用者にわかりずらく、また省電力効果が低減していた。
【０００５】
本発明は上記従来の課題を解決するもので、状態確認用のスイッチを設け、そのスイッチを押すことで短時間だけ表示させたり、押している間だけ表示させたり、または音声にて状態を報知することで操作を簡便にし、また電力ロスも少なくさせることを可能としている。
【０００６】
【課題を解決するための手段】
本発明は上記課題を解決するために、省電力機能により表示が消えた状態において、所定のスイッチを押すことでごく短時間だけ直前の設定情報を表示させる。または、省電力機能により表示が消えた状態において、所定のスイッチを押している間のみ直前の設定情報を表示させる。さらに、省電力機能により表示が消えた状態において所定のスイッチを押すことで搭載されたスピーカー部から音声により直前の設定情報を報知するようにしている。
【０００７】
上記発明によれば、設定情報等を確認したい場合に、簡単な操作で必要な時間だけ表示したり、報知したりすることが可能となり、その後、再度、省電力モードに自動復帰するため、操作簡便かつ電力ロスを少なくして状態確認をすることができる。
【０００８】
【発明の実施の形態】
請求項１に記載の発明は、操作部と表示部を有し、前記操作部により一定時間操作がないとき、あるいは機器の動作に変化がないときに表示部の表示を消す省電力機能を有した給湯器用リモコンにおいて、前記省電力機能によりその表示が消えた状態になったとき、所定のスイッチを押すことでごく短時間だけ直前の設定情報を表示させることを特徴とするもので、設定情報等を確認したいときにスイッチを押すだけでよく、その後、短時間で自動的に省電力モードに復帰するため、使い勝手がよく、電力ロスを少なくした給湯器用リモコンを提供することができる。
【０００９】
請求項２に記載の発明は、操作部と表示部を有し、前記操作部により一定時間操作がないとき、あるいは機器の動作に変化がないときに表示部の表示を消す省電力機能を有した給湯器用リモコンにおいて、前記省電力機能によりその表示が消えた状態になったとき、所定のスイッチを押している間のみ直前の設定情報を表示させることを特徴とするもので、設定情報等を確認したいときにスイッチを押している期間だけ省電力モードを解除し、スイッチ操作を止めると、再度、省電力モードになるため、上記請求項１よりさらに使い勝手がよく、省電力効果も期待できる給湯器用リモコンを提供することが可能となる。
【００１０】
請求項３に記載の発明は、操作部と表示部を有し、前記操作部により一定時間操作がないとき、あるいは機器の動作に変化がないときに表示部の表示を消す省電力機能を有した給湯器用リモコンにおいて、前記省電力機能によりその表示が消えた状態になったとき、所定のスイッチを押すことで搭載されたスピーカー部から音声により直前の設定情報を報知することを特徴とするもので、設定情報等を確認したいときにスイッチを押せば音声で報知し、その後、自動的に省電力モードに復帰するため、リモコン設置場所より離れたところでも確認することができ、さらに使い勝手がよく、省電力効果も期待できる給湯器用リモコンを提供することが可能となる。
【００１１】
【実施例】
以下、本発明の実施例について図面を用いて説明する。
【００１２】
（実施例）
図１は、給湯器用リモコン２ａと風呂リモコン２ｂにより給湯器１を操作するようにした給湯器の構成図である。
【００１３】
図において、１は機器本体、２ａは機器本体１を遠隔操作する台所等に設置する給湯器用リモコン、２ｂは同様に浴室に設置した風呂リモコン、３は給湯器用リモコン２ａまたは風呂リモコン２ｂからの操作信号で機器を制御する機器制御回路である。
【００１４】
図２は給湯器用リモコン２ａ及び風呂リモコン２ｂの詳細図で、操作部７〜１１と表示部４とスピーカ等による報知部６で構成されている。そして、浴槽への湯張りを行う場合は、給湯器用リモコン２ａまたは風呂リモコン２ｂの運転スイッチ７をＯＮし、ふろ自動スイッチ８を操作すると、機器制御回路３に信号が送られ、機器本体１を制御して自動的に湯張り動作を開始する。
【００１５】
次ぎに、上記湯張り動作完了後、予め定めた一定時間、操作部からの操作信号がない場合、あるいは機器の動作に変化がない場合においては、機器制御回路３が省電力モードに設定しても問題なしと判断し、給湯器用リモコン２及び風呂リモコン２ｂにその情報を伝達し、表示部４の表示を消灯して、省電力状態とする。
【００１６】
そして、この省電力状態において、機器の設定情報を知りたいときには、情報表示スイッチ５を押すことで、表示部４を一定時間（例えば、数秒間）点灯させ、設定温度情報や湯張り情報を表示させる。その後、一定時間経過すると、再度、表示部４を消灯させて省電力状態に戻す。
【００１７】
なお、上記実施例では省電力状態の解除スイッチとして、専用の情報表示スイッチ５を設けたが、省電力状態になったとき、操作部の特定のスイッチを押すことで省電力モードを解除するようにしてもよく、上記目的を達成する構成であれば実施例に限定されるものではない。
【００１８】
また、省電力状態の解除方法として、情報表示スイッチ５を押している間だけ表示部４を点灯させ、各種情報を表示させる。その後、情報表示スイッチ５を離すと、再度、表示部４を消灯させて省電力状態に戻す。
【００１９】
このように、スイッチを押している間だけ表示させるようにすると、使用者の使い勝手に合わせて確認することができ、スイッチを離すと直ぐに省電力状態に復帰するため、効果的な省電力表示方法を提供することができる。
【００２０】
なお、上記実施例では省電力状態の解除スイッチとして、専用の情報表示スイッチ５を押す構成としたが、省電力状態になったとき、操作部の特定の複数のスイッチを押すことで省電力モードを解除するようにしてもよく、上記目的を達成する構成であれば実施例に限定されるものではない。
【００２１】
また、別の設定情報確認方法として、情報表示スイッチ５を押すことで、表示部４を消灯させたまま、スピーカー部６から音声により直前の設定情報を報知させるようにしてある。報知方法としては、情報表示スイッチ５を押す度に設定情報を報知したり、一度スイッチを押すと、予め設定した回数繰り返して報知させるようにすることも可能である。
【００２２】
【発明の効果】
以上のように本発明によれば、省電力機能により表示が消えた状態において、所定のスイッチを押すことでごく短時間だけ直前の設定情報を表示させたり、所定のスイッチを押している間のみ直前の設定情報を表示させたり、所定のスイッチを押すことで搭載されたスピーカー部から音声により直前の設定情報を報知するようにしているため、設定情報等を確認したい場合に、簡単な操作で必要な時間だけ表示したり、報知したりすることが可能となり、その後、再度、省電力モードに自動復帰するため、操作簡便かつ電力ロスを少なくして状態確認をすることができる。
【図面の簡単な説明】
【図１】本発明の一実施例における給湯器の構成図
【図２】同給湯器用リモコンの詳細図
【符号の説明】
１  機器本体
２  給湯器用リモコン
３  機器制御回路
４  表示部
５  情報表示スイッチ
６  スピーカー部
【図１】
2004360991.tif 000003
【図２】
2004360991.tif 000004